(57)【要約】【課題】本考案が開示するマニュアル式のジューサー構造は、ユーザーに、オレンジ、レモン等の果物から搾り取った果汁を提供すると共に、ユーザーに使用プロセスにおける利便性をも提供する。【解決手段】本考案に係るマニュアル式のジューサー構造は手動によりジュースを作る器具であり、それはジューサー台座１１を含み、その中央箇所に上に突起した円錐部２を有し、その周縁部に複数のリブ状の突起部１３を有し、前記円錐部２の中心点には開口部２０を有し、開口部２０の周縁に少なくとも一つの上に突起したストッパーのための刺し部１７を持つ。手動によりジュースを作る場合は、果物本体を固定し果汁を搾り取り易いようにすることができる。【選択図】図２
0003134099.tif 000002
【実用新案登録請求の範囲】
【請求項１】
ジューサー台座を含み、その中央箇所に上に突起した円錐部を有し、その周縁部に複数のリブ状の突起部を有し、前記円錐部の中心点に開口部を有し、開口部周縁に少なくとも一つの上に突起したストッパーのための刺し部を持つことを特徴とするマニュアル式のジューサー構造。
【請求項２】
前記ジューサー台座の周縁部内側と前記円錐部底辺にディスク部を有すると共に、前記ディスク部は複数のホールを有することを特徴とする請求項１に記載のマニュアル式のジューサー構造。
【請求項３】
さらに受け皿を含み、前記受け皿の頂部にディスク部のホールから流した汁液を受けるための開口部を有することを特徴とする請求項１に記載のマニュアル式のジューサー構造。
【請求項４】
前記受け皿の上端にさらに外へ突出した流し口を含むことを特徴とする請求項3に記載のマニュアル式のジューサー構造。
【請求項５】
前記ジューサー台座の周囲箇所に前記受け皿頂部の開口部に対応して置いて固定できる環状入れ部を有することを特徴とする請求項３に記載のマニュアル式のジューサー構造。
【請求項６】
前記環状入れ部の周縁部に前記流し口に対応する少なくとも一つ欠口を有することを特徴とする請求項５に記載のマニュアル式のジューサー構造。
【請求項７】
さらに蓋体を有し、前記蓋体頂面にユーザーが握るためのツマミ部を有すると共に、前記受け皿に被せることができることを特徴とする請求項３に記載のマニュアル式のジューサー構造。
【考案の詳細な説明】
【技術分野】
【０００１】
本考案はマニュアル式（手動）のジューサー（果汁搾り器）構造に関し、特に果汁を搾ろうとする果物を固定することができるマニュアル式のジューサー構造に関する。
【背景技術】
【０００２】
現在従来のジューサーは概ね電動と手動に二大区分でき、電動式ジューサーには省力というメリットがあるが、価格が高めでしかも電力を使用しなくてはならず、洗浄も不便であるが、手動ジューサーのメリット、デメリットは電動式ジューサーとは反対である。故にユーザーはそのニーズに応じて購入して使用できるのである。
【０００３】
前述のジューサーは果汁を少量だけ搾りたい場合であれば、多くのユーザーは手動回転式ジューサー台座を選んで果汁を搾る器具とする。前述のジューサー台座の設計は図１で示すように、主に受け皿に置くジューサー台座１が有り、その中央箇所には上に突起した円錐部２が有り、その周縁部に多数のリブ状の突起部３を有し、また別にジューサー台座１の周縁部内側と円錐部底辺の間にはディスク部４が有り、そのディスク部４には多くのホール５が有り、これによってジューサー台座１をコップややかん等受け皿６上に置くことができ、ユーザーは果物を手でジューサー円錐部２のピークに押え付けて回転させ、ジューサー円錐部２のリブ状の突起部３で果肉との摩擦で押さえ付けて果汁を搾り出すと、果汁がホール５から受け皿６に滴り落ちることで飲用に供することができる。
【０００４】
然しながら、前述のジューサー台座は手動で果汁を搾るという簡便な器具を提供するものの、ジューサーの円錐部のピークには滑り止め機能が付いていないので、果物を押えて回転させる際に果物本体が偏ってしまい勝ちで、果汁を搾り取るのに不利なため、ユーザーに不便をかけている。
【０００５】
その上、ユーザーが力を込めて果物を搾ろうとすると、果物本体が偏って力を込める方向が変わってしまい、操作が少し疎かになると受け皿が倒れ易くなり、果汁が流失してしまうこととなる。
【考案の開示】
【考案が解決しようとする課題】
【０００６】
本考案はマニュアル式のジューサー構造を開示する。それは、ジューサー台座とその中央箇所に上に突起した円錐部を有し、その周縁部に複数のリブ状の突起部を有し、前記円錐部の中心点に開口部を有し、開口部周縁に少なくとも一つの上に突起したストッパーのための刺し部を持つことを含む。これにより手動で果汁を搾り取る際に、果物本体を固定して果汁を搾り取り易くすることができる。
【０００７】
本考案が開示するマニュアル式のジューサー構造はユーザーに、オレンジ、レモン等の果物から搾り取った果汁を提供すると共に、ユーザーに使用プロセスにおける利便性をも提供する。
【課題を解決するための手段】
【０００８】
本考案が提供するマニュアル式のジューサー構造は手動で果汁を搾り取る器具とすることができ、それはジューサー台座とその中央箇所に上に突起した円錐部を有し、その周縁部に複数のリブ状の突起部を有し、前記円錐部の中心点に開口部を有し、開口部周縁に少なくとも一つの上に突起したストッパーのための刺し部を持つことを含む。これにより手動で果汁を搾り取る際に、果物本体を固定して果汁を搾り取り易くすることができる。
【０００９】
当業者の本考案に関する目的、特徴及び効果の理解のために、下記に具体的実施例を述べ、添付図面と合わせて、本考案に関し詳細な説明を後述することとする。
【考案を実施するための最良の形態】
【００１０】
図２は本考案のマニュアル式ジューサーの具体的実施例であり、それはジューサー台座１１とその中央箇所に上に突起した円錐部２を有し、その周縁部に複数のリブ状の突起部１３を有し、前記円錐部（頂部）１２の中心点に開口部２０を有し、開口部周縁に少なくとも一つの上に突起したストッパーのための刺し部１７を持ち、また別にジューサー台座１１の周縁部内側と円錐部底辺の間にはディスク部１４が有り、そのディスク部１４には多数のホール１５が有り、ジューサー台座１１の周縁部にはコップ等のような受け皿１６に対応する外へ突出した流し口１８の欠口１９を有する。
【００１１】
図３は図２で示したジューサー台座１１及び受け皿１６を組立てた最適な実施例図である。
【００１２】
図４は図３のＡ−Ａ線の断面図である。
【００１３】
図５は本考案に基くマニュアル式ジューサーの具体的実施例であり、図２と合わせて示すように、ジューサー台座１１の外縁には前記受け皿１６頂部の開口部に対応して置くことができ、且つ固定できる環状入れ部２１を設け、ユーザーはジューサー台座１１をコップのような受け皿１６に置くと、手動でオレンジやレモン等の果物をジューサー台座１１の頂部１２のピークに押え付けて回転させる。また、頂部１２のピークには開口部２０が有り、開口部２０の周縁部には果物を突き刺して固定することができるストッパーのための刺し部１７を設け、そして頂部１２にあるリブ状の突起部１３と果肉との摩擦で押え付けて果汁を搾り出すと、果汁はジューサー台座１１のホール１５からコップのような受け皿１６内に滴り落ちて溜まり、また、果汁を受け皿１６の流し口１８から注いで、ユーザーの飲用に供することできる。
【００１４】
図６は本考案に基くマニュアル式ジューサーを保管しておく最適な実施例であり、ユーザーが果汁を搾り終えると、ジューサー台座１１を、頂部１２を受け皿１６の底部に向ける方法で置くことができ、また同時に蓋体となるフタ２２を有し、フタの頂部にはユーザーが抓むためにツマミ部を設けて、ジューサー台座１１と受け皿１６に被せて保管スペースを節減することもできる。
【００１５】
以上系統立てて述べてきたことにより、本考案の実施方法が明確に理解できるが、以上の記述は本考案の最適な実施例に過ぎず、これをもって本考案の実施範囲を限定するものではない。即ち、本考案が申請する特許範囲において行なった均一的変更若しくは修正についても、全て本考案による技術の範囲内とする。
【図面の簡単な説明】
【００１６】
【図１】従来のマニュアル式ジューサーの概略図である。
【図２】本考案のマニュアル式ジューサーの立体分解概略図である。
【図３】本考案のマニュアル式ジューサーの立体構成概略図である。
【図４】本考案図３のＡ−Ａ線に基くマニュアル式ジューサーの断面概略図である。
【図５】本考案のマニュアル式ジューサーの最適な実施例図である。
【図６】本考案のマニュアル式ジューサーの保管状態を表す最適な実施例図である。
【符号の説明】
【００１７】
１    ジューサー（果汁搾り器）台座
２    円錐部
３    リブ状の突起部
４    ディスク部
５    ホール
６    受け皿
１１  ジューサー台座
１２  頂部
１３  リブ状の突起部
１４  ディスク部
１５  ホール
１６  受け皿
１７  ストッパーのための刺し部
１８  流し口
１９  欠口
２０  開口部
２１  環状入れ部
２２  蓋体
【図１】
0003134099.tif 000003
【図２】
0003134099.tif 000004
【図３】
0003134099.tif 000005
【図４】
0003134099.tif 000006
【図５】
0003134099.tif 000007
【図６】
0003134099.tif 000008